(57)【要約】    【課題】  本考案は、自動車をその属性によって２以上の群に分類して掲載している自動車情報誌において、各分類に属する自動車の数に大きな差があるような場合にも、いずれの分類も見落とされにくく、かつ検索しやすい構成の情報誌を提供することを目的とする。さらに、本考案は、必要な情報が掲載された部分だけを携行するのに適した構成の自動車情報誌を提供することをも目的とする。    【解決手段】  本考案は、自動車に関する情報が掲載される自動車情報誌であって、掲載対象である自動車が所定の属性に従って複数の群に分類され、該群のそれぞれに属する自動車に関する情報が、複数の冊子の各々に掲載されており、前記各冊子が、視覚的または触覚的に、情報が掲載されるページと容易に識別できる表紙を備え、前記複数の冊子が、一のくるみ表紙に分離可能に取り付けられて構成されていることを特徴とする自動車情報誌を提供する。【選択図】    図１
0003107937.tif 000002
【実用新案登録請求の範囲】
【請求項１】
自動車に関する情報が掲載される自動車情報誌であって、
掲載対象である自動車が所定の属性に従って複数の群に分類され、該群のそれぞれに属する自動車に関する情報が、複数の冊子の各々に掲載されており、
前記各冊子が、視覚的または触覚的に、情報が掲載されるページと容易に識別できる表紙を備え、
前記複数の冊子が、一のくるみ表紙に分離可能に取り付けられて構成されていることを特徴とする自動車情報誌。
【請求項２】
前記表紙が、情報が掲載されるページよりも厚い紙で作られている、請求項１に記載の自動車情報誌。
【請求項３】
前記情報を掲載される自動車が、国産車群と輸入車群に分類されている、請求項１に記載の自動車情報誌。
【請求項４】
前記情報を掲載される自動車が、メーカー別、車種別、または価格別の群に分類されている、請求項１に記載の自動車情報誌。
【請求項５】
前記情報を掲載される自動車が、取扱店の地域別の群に分類されている、請求項１に記載の自動車情報誌。
【請求項６】
前記情報を掲載される自動車が、その自動車を好む傾向のある性別または世代別の群に分類されている、請求項１に記載の自動車情報誌。
【請求項７】
前記冊子のそれぞれの冒頭に、その冊子に情報が掲載されている自動車のインデックスを掲載したページが備えられていることを特徴とする、請求項１から６のいずれか１項に記載の自動車情報誌。
【請求項８】
前記冊子とは別に、各自動車の情報がどの冊子に掲載されているかを示すインデックス用の冊子が、前記くるみ表紙に分離可能に接着されていることを特徴とする、請求項１から７のいずれか１項に記載の自動車情報誌。
【請求項９】
前記輸入車群に分類されるべき自動車の内、前記国産車群に分類された前記自動車は、前記輸入車群には掲載されていない、請求項３に記載の自動車情報誌。
【請求項１０】
前記国産車群に掲載された前記自動車は前記輸入車群には掲載されず、前記輸入車群に掲載された前記自動車は前記国産車群には掲載されない、請求項３に記載の自動車情報誌。
【請求項１１】
前記国産車群に掲載された前記自動車は前記輸入車群以外の分類にも掲載され、前記輸入車群に掲載された前記自動車は前記国産車群以外の分類にも掲載される、請求項３または１０に記載の自動車情報誌。
【考案の詳細な説明】
【技術分野】
【０００１】
本考案は、情報が見落とされにくく、携行にも適した、検索性および利便性の高い自動車情報誌に関する。
【背景技術】
【０００２】
従来、自動車に関する情報が掲載された自動車情報誌には、その利便性を高めるために様々な工夫がなされている。例えば、登録実用新案第３０８２１８０号では、自動車情報を掲載したページを綴じてなる自動車情報掲載部と、該自動車を販売する販売店の情報を掲載したページを綴じてなる販売店情報掲載部とを備えた自動車情報誌において、販売店情報掲載部を構成するページ内に各販売店の情報を掲載した販売店欄を配置し、自動車情報掲載部を構成するページ内に各自動車情報を掲載した自動車情報欄を配置し、この自動車情報欄に当該自動車を販売する販売店の情報を掲載した販売店欄の位置を示す位置情報を掲載したことを特徴とする自動車情報誌が提案されている。
【特許文献１】登録実用新案第３０８２１８０号公報
【考案の開示】
【考案が解決しようとする課題】
【０００３】
自動車情報誌では、検索性を高めるため、上記登録実用新案に係る情報誌のように、一冊の雑誌を自動車情報掲載部と販売店情報掲載部のように分けて、各部分にそれぞれの情報を掲載する方法がよく用いられている。また、自動車情報掲載部と販売店情報掲載部に限らず、情報が掲載される自動車を様々な属性ごと、例えば車種別（セダンタイプ、ミニバンタイプ、コンパクトタイプ等）、メーカ別、価格帯別などに分類し、属性ごとにページを割り当てて情報が掲載された情報誌が多く見られる。このような属性ごとに分類された情報の検索を容易にするため、情報誌には索引ページ（インデックスページ）が設けられている。読者は、この索引ページを参照して、目的のページ（車両）を探し出す。
【０００４】
ところで、掲載する車両の増大とともに、索引ページのボリュームも増大し、索引ページの後方に位置する情報ほど、読者の目に触れにくいという傾向がある。すなわち、情報誌を手にした読者が、索引ページの後方に配置されているということが原因で、所望の車両が掲載されているということに気がつかない場合がある。例えば、国産車と輸入車の情報を網羅する雑誌の場合、取り扱い数の少ない輸入車に関しては、索引ページの後方に配置される傾向があり、輸入車を目当てに雑誌を購入した読者が、輸入車の掲載を認知できないまま、国産車の雑誌であるという理解をしてしまい、雑誌を破棄してしまう事態も想定される。
【０００５】
そこで、本考案は、自動車をその属性によって２以上の群に分類して掲載している自動車情報誌において、索引ページの最初から最後まで目を通さなくても、いずれの分類も見落とされにくく、かつ検索しやすい構成の情報誌を提供することを目的とする。さらに、本考案は、必要な情報が掲載された部分だけを携行するのに適した構成の自動車情報誌を提供することをも目的とする。
【課題を解決するための手段】
【０００６】
上記課題を解決するために、本考案は、自動車に関する情報が掲載される自動車情報誌であって、掲載対象である自動車が所定の属性に従って複数の群に分類され、該群のそれぞれに属する自動車に関する情報が、複数の冊子の各々に掲載されており、前記各冊子が、視覚的または触覚的に、情報が掲載されるページと容易に識別できる表紙を備え、前記複数の冊子が、一のくるみ表紙に分離可能に取り付けられて構成されていることを特徴とする。
【０００７】
ここで、くるみ表紙とは、各冊子をくるむように取り付けられる表紙をいう。本考案に係る自動車情報誌では、例えば、各冊子の背表紙が、くるみ表紙の背の内側に分離可能な接着性の弱い接着剤で貼付され、一冊に纏められている。このような構成とすることにより、ある群に属する自動車の数が極端に少ない場合も、その群のみで一冊の冊子として構成されるので、見落とされることがなく検索もしやすい。また、必要な冊子をくるみ表紙から分離し、取扱店に自動車を見に行く際に携行することが可能である。
【０００８】
上記各冊子は、視覚的または触覚的に、情報掲載ページと容易に識別できる表紙を備えている。具体的には、切込みが入れられている表紙や、情報掲載ページと色の異なる表紙が挙げられるが、特に、表紙が情報掲載ページよりも厚い紙で構成されていることが好ましい。厚い表紙を備える構成とすることにより、薄い冊子が、より見落とされにくくなるとともに、くるみ表紙から分離した際にも丈夫で携行しやすいものとなる。
【０００９】
情報を掲載される自動車は、例えば、国産車群と輸入車群、メーカー別の群、取扱店の地域別の群、車種別の群、その自動車を好む傾向のある性別または世代別の群等に分類するとよい。このように分類することによって、読者が必要な情報を検索または選択しやすくなり、利便性が高められる。
【００１０】
また、各冊子の冒頭には、その冊子に情報が掲載されている自動車のインデックスを掲載したページが備えられていることが好ましい。このような構成とすることにより、各冊子をくるみ表紙から分離しても、その冊子掲載されている自動車を容易に検索することができ、一冊の独立した情報誌として利用することができる。
【００１１】
さらに、自動車情報が掲載されている冊子とは別に、各自動車の情報がどの冊子に掲載されているかを示すインデックス用の冊子が、前記くるみ表紙に分離可能に接着されている構成も好ましい。かかる構成とすることにより、所望のタイプの車がどの冊子に掲載されているかを簡単に検索できるようになる。
【考案の効果】
【００１２】
本考案によれば、自動車情報が、各自動車の属性によって２以上の群に分類されて掲載されている自動車情報誌において、各分類に属する自動車の数に比較的大きな差がある場合も、いずれの分類も見落とされにくく、かつ検索しやすい構成の情報誌を提供することができる。さらに、本考案に係る自動車情報誌は、読者が必要とする情報が掲載された冊子のみを分離して携行することが可能であり、利便性が高い。
【考案を実施するための最良の形態】
【００１３】
図１に本考案に係る自動車情報誌の一例を示す。本実施形態に係る自動車情報誌１は、第一の分冊Ａに国産車情報が掲載され、第二の分冊Ｂに輸入車情報が掲載された情報誌である。
【００１４】
図１に示すように、分冊Ａには、表紙１２および裏表紙１４が備えられ、分冊Ｂには表紙１６および裏表紙１８が備えられている。そして、分冊Ａの背表紙と分冊Ｂの背表紙は、くるみ表紙１０の背の内側に、容易に剥がして分離できる方法により接着されている。分冊Ａに掲載された国産車情報は分量が多いためページ数が多くなっており、分冊Ｂに掲載された輸入車情報は、例えば取り扱い車両数が少ないため、ページ数が少なくなっている。
【００１５】
表紙１２、裏表紙１４、表紙１６および裏表紙１８は、それぞれくるみ表紙１０と同様に厚紙で形成されているので、自動車情報誌１を手にした読者は、ページをめくる際に、分冊Ｂの存在に気がつきやすく、分量の少ない輸入車情報も見落とされにくい。また、各々に分離したときも一冊の情報誌と同様に丈夫な構成となり、携行するのに適したものとなっている。なお、読者は、ページを順次めくらなくても、表紙の紙質が情報掲載ページとは異なるため、視覚的に、または端部の手触りで、分冊の境界部分を認知することができる。
【００１６】
各分冊の表紙１２、１６およびくるみ表紙１０は、例えば同じ写真を印刷したり、文字のフォントを揃えたりすると、情報誌全体としての統一感を持たせることができて好ましい。また、くるみ表紙１０の一部を切り抜き、その部分から分冊Ａの表紙１２が見えるようにして、切り抜き部分から見える分冊Ａの表紙とクルミ表紙とに付された絵や写真が連続するように配置することによって、美感や統一感を高めることもできる。
【００１７】
国産車を探している読者は、分冊Ａをくるみ表紙１０から分離し、この部分だけを携行して、販売店を訪れることができる。輸入車のみに興味のある読者は、分冊Ｂのみを分離して持ち歩くことができる。分冊Ａのみを分離した様子を図２に示す。
【００１８】
２冊一緒に販売されることによって、国産車および輸入車の両方に興味のある読者の要求にも応じることができ、また、ある程度の厚みができるため、書店等で販売される際に目立ちやすいという利点も得られる。
【００１９】
なお、通常情報を掲載される自動車は、国産車群または輸入車群のいずれかに分類されるが、分類は完全なものでなくてもよく、いくつかの国産車情報が輸入車の分類に、また、いくつかの輸入車情報が国産車の分類に掲載されていることがあってもよい。このような場合、輸入車群に分類されるべき自動車の内、国産車群に分類された自動車は、輸入車群には掲載されていないように決めてもよいし、国産車群に掲載された自動車が輸入車群には掲載されないだけではなく、輸入車群に掲載された自動車は国産車群には掲載されないと決めてよい。また、国産車群に掲載された自動車は輸入車群以外の分類にも掲載され、輸入車群に掲載された自動車は国産車群以外の分類にも掲載されていてもよい。
【００２０】
分冊ＡおよびＢのそれぞれの冒頭の数ページは、各分冊に掲載された自動車のインデックスが掲載されたページとなっており、読者は、各分冊を分離した場合もこのインデックスページを参照して、所望の自動車を検索することが可能となる。インデックスには、情報が掲載されている自動車を、国産車／輸入車という分類以外の分類で一覧表として掲載することが好ましい。インデックスの分類としては、例えば、メーカー別、車種別、価格別、取扱店の地域別などが挙げられる。
【００２１】
図３に、本実施形態に係る自動車情報誌１を下から見た場合の図を模式的に示す。くるみ表紙１０は、分冊Ａの表紙１２、背表紙２４、分冊Ｂの背表紙２６および裏表紙１８をくるむように形成されている。そして、くるみ表紙１０の背表紙部分２２の内側に、分冊Ａの背表紙２４および分冊Ｂの背表紙２６が、容易に剥がすことのできる方法によって接着されている。容易に剥がすことのできる接着方法としては、例えば、接着力が比較的弱い樹脂による接着剤を用いる、接着剤を線状や点状等に塗布して接着免責を小さくするなどの方法が挙げられる。
【００２２】
図４に、別の実施形態として自動車情報誌２を示す。自動車情報誌２では、くるみ表紙３０が、分冊Ａの表紙１２、分冊Ａの背表紙２４、および分冊Ｂの背表紙２６のみを覆うように形成され、分冊Ｂの裏表紙１８が自動車情報誌２の裏表紙を兼ねている。従って、くるみ表紙１０を少ない材料で形成することができて好ましい。このような構成としても、分量の少ない分冊が見落とされにくく検索しやすいという効果、また必要な分冊を分離して携行できるという効果が得られる点は、上述の自動車情報誌１と同様である。
【００２３】
図５に、別の実施形態として自動車情報誌３を示す。自動車情報誌３では、くるみ表紙４０が、分冊Ａの背表紙２４、分冊Ｂの背表紙２６、および分冊Ｂの裏表紙１８のみを覆うように形成され、分冊Ａの表紙１２が自動車情報誌２の表紙を兼ねている。この場合も、くるみ表紙１０を少ない材料で形成することができて好ましい。また、分量の少ない分冊が見落とされにくく検索しやすいという効果、必要な分冊を分離して携行できるという効果を得られる点は、上述の自動車情報誌１および２と同様である。
【００２４】
以上、第一の分冊Ａに国産車情報が掲載され、第二の分冊Ｂに輸入車情報が掲載された自動車情報誌について説明したが、本考案に係る自動車情報誌では、国産車と輸入車という分類に関わらず、情報を掲載する自動車を他の様々な属性によって２以上の群に分類することもでき、冊子の数が３以上であってもよい。
【００２５】
例えば、情報が掲載される自動車をメーカー別の群、車種別（例えば、セダン、クーペ、ステーションワゴン、１ＢＯＸ等）の群、または価格別（例えば、０〜２０万円、２０万円〜５０万円、５０万円〜１００万円等）の群等に分類することができる。このような構成とすれば、特定のメーカー、車種、価格に限定して自動車を探している読者は、必要な冊子のみ分離して必要な情報のみ検索することができる。さらに、掲載される情報の少ない車種の自動車情報も、見落とされることがない。
【００２６】
また、情報が掲載される自動車を取扱店の地域別の群に分類し、各地域について一冊の冊子としてもよい。このような構成にすれば、読者は、アクセスしやすい地域に取扱店のある自動車情報が掲載された冊子のみを分離して容易に検索することができる。
【００２７】
さらに、女性に好まれる自動車群と男性に好まれる自動車群、または２０代に好まれる自動車群、５０代に好まれる自動車群、といったように、その自動車を好む傾向のある性別や世代別の群に自動車情報を分類し、各一冊として構成してもよい。このような構成にすれば、読者は、その性別や世代による流行の自動車情報等を入手することができる。
【図面の簡単な説明】
【００２８】
【図１】本考案に係る自動車情報誌の一実施形態を示す概略図である。
【図２】本考案に係る自動車情報誌から一冊子を分離した様子を示す該略図である。
【図３】図１に示す自動車情報誌を下から見た状態を示す概略図である。
【図４】本考案に係る自動車情報誌の一実施形態を下から見た状態を示す概略図である。
【図５】本考案に係る自動車情報誌の一実施形態を下から見た状態を示す概略図である。
【符号の説明】
【００２９】
１〜３…自動車情報誌、Ａ、Ｂ…冊子、１０…くるみ表紙、１２、１６…表紙、１４、１８…裏表紙、２２、２４、２６…背表紙
【図１】
0003107937.tif 000003
【図２】
0003107937.tif 000004
【図３】
0003107937.tif 000005
【図４】
0003107937.tif 000006
【図５】
0003107937.tif 000007